(57)【要約】【課題】駆動リングによってバリア機構を開閉する場合であっても、漏光の問題なく、簡単にバリア機構の開閉を行うことを可能とする。【解決手段】最も被写体側に位置する１群レンズ室３と、１群レンズ室３の前側に形成された撮影開口を、バリア１によって開閉するバリア機構と、バリア機構を開閉操作する駆動源となる回転筒９と、収納位置で回転筒９と結合し、撮影位置で回転筒９との結合が解除される結合部を備え、バリア機構に開閉動作を与える駆動リング２と、収納位置と撮影位置の間で、駆動リング２の結合部が挿入されて移動する開口部４ａが形成された２群レンズ室４と、収納位置で駆動リング２の結合部を２群レンズ室４の開口部４ａに挿入可能であり、撮影位置で開口部４ａを塞いで漏光を防止する漏光防止装置１０とを備え、漏光防止装置１０は、駆動リング２の結合部により倒れることができる可倒部１２を有する。【選択図】図１
2006106518.tif 000002
【特許請求の範囲】
【請求項１】
最も被写体側に位置する第１のレンズ室と、
前記第１のレンズ室の前側に形成された撮影開口を、バリア部材によって開閉するバリア機構と、
前記バリア機構を開閉操作する駆動源となる回転部材と、
収納位置で前記回転部材と結合し、撮影位置で前記回転部材との結合が解除される結合部を備え、前記バリア機構に開閉動作を与える駆動部材と、
前記収納位置と前記撮影位置の間で、前記駆動部材の結合部が挿入されて移動する開口部が形成された第２のレンズ室と、
前記収納位置で前記駆動部材の結合部を前記第２のレンズ室の開口部に挿入可能であり、前記撮影位置で前記開口部を塞いで漏光を防止する漏光防止装置と、
を備えたレンズ鏡筒。
【請求項２】
請求項１に記載のレンズ鏡筒において、
前記漏光防止装置は、前記第２のレンズ室の開口部に設けられ、前記駆動部材の結合部により倒れることができる可倒部を有すること、
を特徴とするレンズ鏡筒。
【請求項３】
第３のレンズ室と、
レンズ駆動モータと、
前記第３のレンズ室に取り付けられ、収納位置で前記レンズ駆動モータの少なくとも一部が挿入される開口部が形成されたシャッタユニットと、
前記収納位置で前記レンズ駆動モータの少なくとも一部を前記シャッタユニットの開口部に挿入可能であり、撮影位置で前記開口部を塞いで漏光を防止する第２漏光防止装置と、
を備えたレンズ鏡筒。
【請求項４】
第３のレンズ室と、
第４のレンズ室と、
前記第３のレンズ室に取り付けられ、収納位置で前記第４のレンズ室の少なくとも一部が挿入される開口部が形成されたシャッタユニットと、
前記収納位置で前記第４のレンズ室の少なくとも一部を前記シャッタユニットの開口部に挿入可能であり、撮影位置で前記開口部を塞いで漏光を防止する第２漏光防止装置と、
を備えたレンズ鏡筒。
【請求項５】
請求項３又は請求項４に記載のレンズ鏡筒において、
前記第２漏光防止装置は、前記シャッタユニットの開口部に設けられ、前記レンズ駆動モータの一部又は前記第４のレンズ室の一部と当接して倒れることができる可倒部を有すること、
を特徴とするレンズ鏡筒。
【発明の詳細な説明】
【技術分野】
【０００１】
本発明は、バリア機構を備えたレンズ鏡筒に関するものである。
【背景技術】
【０００２】
従来、コンパクトカメラのズームレンズ鏡筒は、一般に、最も前方に位置する可動レンズ室の前側に撮影開口を形成し、可動レンズ室が撮影位置と収納位置との間を移動するときに、この撮影開口をバリア機構のバリアによって開閉していた（特許文献１）。
このようなズームレンズ鏡筒は、可動レンズ室内の外側に駆動リングを配置し、この駆動リングの回転によって、バリア機構のバリアに開閉動作を与えていた。
【０００３】
しかし、駆動リングの回転によってバリア機構を動作させるためには、可動レンズ室に、駆動リング挿入部用の孔（開口部）を開けること等が必要であり、遮光が困難になり、あるいは、駆動リング又は可動レンズ室内と、バリア機構との連動機構が複雑化するという問題があった。
【特許文献１】特開２０００−２９２６７０号公報
【発明の開示】
【発明が解決しようとする課題】
【０００４】
本発明の課題は、駆動部材によってバリア機構を開閉する場合であっても、漏光の問題なく、簡単にバリア機構の開閉を行うことができるレンズ鏡筒を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。
請求項１の発明は、最も被写体側に位置する第１のレンズ室（３）と、前記第１のレンズ室の前側に形成された撮影開口を、バリア部材（１）によって開閉するバリア機構と、前記バリア機構を開閉操作する駆動源となる回転部材（９）と、収納位置で前記回転部材と結合し、撮影位置で前記回転部材との結合が解除される結合部を備え、前記バリア機構に開閉動作を与える駆動部材（２）と、前記収納位置と前記撮影位置の間で、前記駆動部材の結合部が挿入されて移動する開口部（４ａ）が形成された第２のレンズ室（４）と、前記収納位置で前記駆動部材の結合部を前記第２のレンズ室の開口部に挿入可能であり、前記撮影位置で前記開口部を塞いで漏光を防止する漏光防止装置（１０）と、を備えたレンズ鏡筒である。
請求項２の発明は、請求項１に記載のレンズ鏡筒において、前記漏光防止装置（１０）は、前記第２のレンズ室の開口部に設けられ、前記駆動部材の結合部により倒れることができる可倒部（１２）を有すること、を特徴とするレンズ鏡筒である。
請求項３の発明は、第３のレンズ室（５）と、レンズ駆動モータ（８）と、前記第３のレンズ室に取り付けられ、収納位置で前記レンズ駆動モータの少なくとも一部が挿入される開口部（７ａ）が形成されたシャッタユニット（７）と、前記収納位置で前記レンズ駆動モータの少なくとも一部を前記シャッタユニットの開口部に挿入可能であり、撮影位置で前記開口部を塞いで漏光を防止する第２漏光防止装置（１０Ａ）と、を備えたレンズ鏡筒である。
請求項４の発明は、第３のレンズ室（５）と、第４のレンズ室（６）と、前記第３のレンズ室に取り付けられ、収納位置で前記第４のレンズ室の少なくとも一部が挿入される開口部（７ａ）が形成されたシャッタユニット（７）と、前記収納位置で前記第４のレンズ室の少なくとも一部を前記シャッタユニットの開口部に挿入可能であり、撮影位置で前記開口部を塞いで漏光を防止する第２漏光防止装置（１０Ａ）と、を備えたレンズ鏡筒である。
請求項５の発明は、請求項３又は請求項４に記載のレンズ鏡筒において、前記第２漏光防止装置（１０Ａ）は、前記シャッタユニットの開口部に設けられ、前記レンズ駆動モータの一部又は前記第４のレンズ室の一部と当接して倒れることができる可倒部（１２Ａ）を有すること、を特徴とするレンズ鏡筒である。
【発明の効果】
【０００６】
本発明によれば、収納位置と撮影位置間で駆動部材の結合部が移動し、第２のレンズ室の開口部に出し入れされるときに、この動作に連動して、例えば、第２のレンズ室の開口部に配置された漏光防止装置の可倒部が可倒するので、撮影位置では、可倒部が起立して、第２のレンズ室の開口部からの漏光を防ぐことができ、収納位置では、可倒部が倒れ、バリア部材が閉じる動作に支障をきたさない。従って、駆動部材によってバリア機構を開閉する場合であっても、漏光の問題なく、簡単にバリア機構の開閉を行うことができる。
また、収納位置でレンズ駆動モータや第４のレンズ室の少なくとも一部が挿入される開口部が形成されたシャッタユニットを備える場合であっでも、収納位置と撮影位置間で、レンズ駆動モータや第４のレンズ室の少なくとも一部がシャッタユニットの開口部に出し入れされるときに、この動作に連動して、例えば、シャッタユニットの開口部に配置された第２漏光防止装置の可倒部が可倒するので、撮影位置では、可倒部が起立して、シャッタユニットの開口部からの漏光を防ぐことができ、収納位置では、可倒部が倒れ、レンズ駆動モータや第４のレンズ室の少なくとも一部が挿入され、収納位置でのレンズ鏡筒の小型化が図れる。
【発明を実施するための最良の形態】
【０００７】
本発明は、駆動リングによってバリア機構を開閉する場合であっても、漏光の問題なく、簡単にバリア機構の開閉を行うことができるという目的を、レンズ室内の開口部に配置された第１漏光防止装置の可倒部が可倒するにより実現する。
【実施例１】
【０００８】
以下、本発明の実施例をあげて、図面を参照しながら説明する。
図１，図２は、本発明によるレンズ鏡筒の実施例１を示す図であって、図１は、撮影位置、図２は、収納位置をそれぞれ示す図である。
図３は、実施例１によるレンズ鏡筒に使用される漏光防止装置を示す図である。
実施例１によるレンズ鏡筒は、図１，図２に示すように、バリア１と、駆動リング２と、１群レンズ室３と、２群レンズ室４と、３群レンズ室５と、４群レンズ室６と、シャッタユニット７と、フォーカスモータ８と、回転筒９と、第１漏光防止装置１０等とを備えている。
【０００９】
このレンズ鏡筒は、１群レンズ室３〜４群レンズ室６でそれぞれ保持された１群レンズＬ１〜４群レンズＬ４からなる４群構成の撮影光学系を備えており、フォーカスモータ８により、回転筒９を回転させることにより、１群レンズ室３〜４群レンズ室６を移動して、フォーカシングを行う。なお、３群レンズ室５には、シャッタユニット７が設けられている。
【００１０】
このレンズ鏡筒は、１群レンズ室３の前壁面に、バリア１及び駆動リング２が配置されている。
バリア１は、１群レンズ室３の前側に形成された撮影開口を開閉して、１群レンズ室３の１群レンズＬ１を保護するレンズキャップの役割を果たす部材であり、撮影位置（図１）で開き、収納位置（図２）で閉じるようにバリア機構が設けられている。
【００１１】
駆動リング２は、バリア機構を駆動する部材であり、１群レンズ室３と共に、撮影位置（図１）から収納位置（図２）に移動するときに、１群レンズ室３の内面にある２群レンズ室４の開口部４ａを結合レバーが通り、開閉操作の駆動源となる回転筒９に結合して、図２に示すように、バリア機構によりバリア１を閉じる。
逆に、駆動リング２は、収納位置（図２）から撮影位置（図１）に移動すると、回転筒９と結合レバーとの結合が解除され、図１に示すように、バリア機構によりバリア１を開く。
【００１２】
第１漏光防止装置１０は、矢印Ａに示すような光が、撮影光学系及びカメラ側に漏れることを防止する装置であり、実施例１では、２群レンズ室４の開口部４ａに配置されている。
この第１漏光防止装置１０は、図３に示すように、基部１１と、基部１１に対して矢印Ｂ方向に倒れることができ、遮光板となる可倒部１２と、基部１１と可倒部１２とを回転自在に連結する蝶番部１３と、蝶番部１３に設けられ、可倒部１２を起立状態に復帰させるネジリバネ１４と、基部１１を２群レンズ室４に固定する両面テープ等の粘着材１５等とを備えている。
【００１３】
この第１漏光防止装置１０は、撮影位置では、図１に示すように、ネジリバネ１４により、可倒部１２が起立状態となっており、２群レンズ室４の開口部４ａからの漏光を防止している。
上述したように、撮影位置（図１）から収納位置（図２）に移動するときに、駆動リング２は、２群レンズ室４の開口部４ａに配置された第１漏光防止装置９の可倒部１２を倒して、図２に示すように、回転筒９に結合することができる。
【００１４】
このように、実施例１によれば、収納位置と撮影位置間に駆動リング２が移動し、レンズ室内に出し入れされるときに、この動作に連動して、レンズ室内の開口部に配置された第１漏光防止装置１０の可倒部１２が可倒するので、撮影位置では、可倒部１２が起立して、レンズ室内の駆動リング２の挿入部（開口部４ａ）からの漏光を防ぐことができ、収納位置では、可倒部１２が倒れ、バリア１が閉じる動作に支障をきたさない、という効果がある。
【実施例２】
【００１５】
図４，図５は、本発明によるレンズ鏡筒の実施例２を示す図であって、図４は、撮影位置、図５は、収納位置をそれぞれ示す図である。
なお、前述した実施例１と同様な機能を果たす部分には、同一の符号又は末尾に統一した符号を付して、重複する説明や図面を適宜省略する。
実施例２のレンズ鏡筒は、図４，図５に示すように、第１漏光防止装置１０の他に、３群レンズ室５に取り付けられたシャッタユニット７に、第２漏光防止装置１０Ａが設けられている。
シャッタユニット７には、収納位置でフォーカスモータ８や４群レンズ室６の少なくとも一部が挿入される開口部７ａが形成されている。
【００１６】
第２漏光防止装置１０Ａは、形状や寸法が異なるが、基本構成が第１漏光防止装置１０と同様であり、図５に示すように、蝶番部１３Ａで可倒を行うプレス板部分である可倒部１２Ａを備えている。
第２漏光防止装置１０Ａでは、４群レンズ室６及びフォーカスモータ８が撮影位置から収納位置を移動するときに、シャッタユニット７の前面に位置する可倒部１２Ａが倒される。
【００１７】
実施例２によれば、実施例１の効果に加えて、開口部７ａが形成されたシャッタユニット７を備える場合であっでも、収納位置と撮影位置間で、フォーカスモータ８や４群レンズ室６の少なくとも一部がシャッタユニット７の開口部７ａに出し入れされるときに、この動作に連動して、シャッタユニット７の開口部７ａに配置された可倒部１２Ａが可倒するので、撮影位置では、可倒部１２Ａが起立して、シャッタユニット７の開口部７ａからの漏光（図４の矢印Ｃ）を防ぐことができ、収納位置では、可倒部１２Ａが倒れ、フォーカスモータ８や４群レンズ室６の少なくとも一部が挿入され、収納位置でのレンズ鏡筒の小型化が図れる。という効果がある。
【００１８】
（変形例）
以上説明した実施例に限定されることなく、種々の変形や変更が可能であって、それらも本発明の均等の範囲内である。
例えば、実施例１の第１漏光防止装置１０は、１群レンズ室３に両面テープ等の粘着材で固定した例で説明したが、ビス止め等により固定してもよい。
【図面の簡単な説明】
【００１９】
【図１】本発明によるレンズ鏡筒（撮影位置）の実施例１を示す図である。
【図２】本発明によるレンズ鏡筒（収納位置）の実施例１を示す図である。
【図３】実施例１によるレンズ鏡筒に使用される漏光防止装置を示す図である。
【図４】本発明によるレンズ鏡筒（撮影位置）の実施例２を示す図である。
【図５】本発明によるレンズ鏡筒（収納位置）の実施例２を示す図である。
【符号の説明】
【００２０】
１  バリア
２  駆動リング
３  １群レンズ室
４  ２群レンズ室
５  ３群レンズ室
６  ４群レンズ室
７  シャッタユニット
８  フォーカスモータ
９  回転筒
１０  第１漏光防止装置
１０Ａ  第２漏光防止装置
１１  基部
１２  可倒部
１３  蝶番部
１４  ネジリバネ
１５  粘着材
【図１】
2006106518.tif 000003
【図２】
2006106518.tif 000004
【図３】
2006106518.tif 000005
【図４】
2006106518.tif 000006
【図５】
2006106518.tif 000007